(57)【要約】【課題】熱変色性の筆記インクを備え、それを擦過体で擦過することにより描線の色彩変化を起こさせる筆記具において変色に必要な擦過動作の程度を視覚的に認識可能とする。【解決手段】温度上昇により低温色彩状態から高温色彩状態へ変色するとともに温度低下により該高温色彩状態から前記低温色彩状態へ変色する熱変色特性を有するインクを筆記インクとして収容するとともに、該筆記インクによる描線を擦過してその摩擦による温度上昇によって熱変色せしめるための擦過体を備える筆記具であって、該擦過体にも温度上昇により低温色彩状態から高温色彩状態へ変色するとともに温度低下により該高温色彩状態から前記低温色彩状態へ変色する熱変色特性が付与されていることを特徴とする。【選択図】図３
2010247358.tif 000002
【特許請求の範囲】
【請求項１】
温度上昇により低温色彩状態から高温色彩状態へ変色するとともに温度低下により該高温色彩状態から前記低温色彩状態へ変色する熱変色特性を有するインクを筆記インクとして収容するとともに、該筆記インクによる描線を擦過してその摩擦による温度上昇によって熱変色せしめるための擦過体を備える筆記具であって、
該擦過体にも温度上昇により低温色彩状態から高温色彩状態へ変色するとともに温度低下により該高温色彩状態から前記低温色彩状態へ変色する熱変色特性が付与されていることを特徴とする筆記具。
【請求項２】
前記擦過体における、低温色彩状態から高温色彩状態へ変色を開始する温度と、該高温色彩状態から前記低温色彩状態へ変色を開始する温度との差が３０℃以下であることを特徴とする請求項１記載の筆記具。
【請求項３】
前記筆記インクが温度上昇によって低温色彩状態から高温色彩状態へ変色を開始する温度と、前記擦過体が温度上昇によって低温色彩状態から高温色彩状態へ変色を開始する温度との差が２０℃以下であることを特徴とする請求項１又は２記載の筆記具。
【請求項４】
前記擦過体が温度上昇によって低温色彩状態から高温色彩状態へ変色を開始する温度が、前記筆記インクが温度上昇によって低温色彩状態から高温色彩状態へ変色を開始する温度よりも低いことを特徴とする請求項１、２又は３記載の筆記具。
【請求項５】
前記擦過体が温度低下により高温色彩状態から低温色彩状態へ変色を開始する温度が、前記筆記インクが温度低下により高温色彩状態から低温色彩状態へ変色を開始する温度より高いことを特徴とする請求項１、２又は３記載の筆記具。
【請求項６】
前記筆記インク及び前記擦過体の熱変色特性は、該擦過体の擦過によって温度が高温側変色開始温度へ上昇して低温色彩状態から高温色彩状態へ変色を開始し、かつ、温度が前記高温側変色開始温度より低い低温側変色開始温度まで降下して該高温色彩状態から前記低温色彩状態へ変色するような可逆的なものであるとともに、
前記擦過体の高温側変色開始温度は前記筆記インクの高温側変色開始温度より低く、
前記擦過体の低温側変色開始温度は前記筆記インクの低温側変色開始温度より高いことを特徴とする請求項１、２又は３記載の筆記具。
【発明の詳細な説明】
【技術分野】
【０００１】
本発明は、描線が摩擦熱によって変色するインクと、その摩擦を加えるための擦過体とを備えた筆記具に関する。
【背景技術】
【０００２】
ボールペン等のインクを用いる筆記具では、紙面上に形成された描線は、鉛筆の描線のように消しゴムの擦過により消去することは本来不可能であるが、紙面との結合力が弱い顔料インクを用いて描線を消しゴムで消去可能としたものも提供されていた。また近年は熱変色性のインクを用いて、筆記具の一部に設けられた、ラバー等で形成される擦過体で摩擦することによって、描線が変色するものも提供されていた。たとえば、特許文献１では、熱を加えた際に変色が開始される高温側変色開始温度と、その後の冷却によって変色前の状態に復帰する低温側変色開始温度との間に温度差が設けられている顔料（たとえば可逆熱変色性マクロカプセル顔料）を用いたインクによって、通常の使用状態においては変色後の状態を維持可能とした筆記具が開示されている。また、描線に摩擦を加えるための擦過体についても、その材質（特許文献２及び３）、形状（特許文献４）並びに摩擦係数のような物性（特許文献５）といった様々な観点から検討が加えられている。なお、ここでいう「変色」とは明度・彩度といった色調の変化のみならず、色彩自体が消失する「退色」をも含むものである。
【先行技術文献】
【特許文献】
【０００３】
【特許文献１】特開２００３−２０６４３２号公報
【特許文献２】特開２００４−１４８７４４号公報
【特許文献３】特開２００６−１２３３２４号公報
【特許文献４】特開２００７−２２３３０２号公報
【特許文献５】特開２００８−１５５６２４号公報
【発明の概要】
【発明が解決しようとする課題】
【０００４】
上記のような変色性のインクによる描線を、筆記体の一部、たとえば軸筒の後端であるとか、キャップの先端であるとかに設けられた擦過体で擦過して変色させようとする場合、変色に要する力加減が分からず不必要な力をかけて紙を破くおそれもある。一方十分な摩擦力が得られなければ変色が起こらず所期の目的を達することができない。
以上の問題点に鑑み、本発明は、変色に必要な擦過動作の程度を視覚的に認識可能とすることを課題とする。
【課題を解決するための手段】
【０００５】
（１）第１の発明
上記の課題に鑑み、本発明のうち第１の発明は、温度上昇により低温色彩状態から高温色彩状態へ変色するとともに温度低下により該高温色彩状態から前記低温色彩状態へ変色する熱変色特性を有するインクを筆記インクとして収容するとともに、該筆記インクによる描線を擦過してその摩擦による温度上昇によって熱変色せしめるための擦過体を備える筆記具であって、
該擦過体にも温度上昇により低温色彩状態から高温色彩状態へ変色するとともに温度低下により該高温色彩状態から前記低温色彩状態へ変色する熱変色特性が付与されていることを特徴とする。
【０００６】
本発明における筆記インクは、熱変色特性を備えている必要がある。そのために必要な成分については特に限定はない。たとえば、可逆熱変色性マイクロカプセル顔料を使用することができるが、それ以外であっても、熱変色特性を備える顔料であれば使用可能である。ここで、この可逆熱変色性マイクロカプセル顔料としては、たとえば従来より公知の、電子供与性呈色性有機化合物、電子受容性化合物及びこれら両者の呈色反応の生起温度を決める反応媒体の３成分を含む可逆熱変色性組成物をマイクロカプセル中に内包させたものが挙げられる。
また、「熱変色特性」とは、ある温度又は温度領域を境にある色彩の状態から別の色彩の状態に変化することをいう。そして、「低温色彩状態」とは、温度上昇がなされる前の色彩の状態をいい、また、「高温色彩状態」とは、温度上昇がなされた後の色彩の状態をいう。これらの低温色彩状態から高温色彩状態への変化については、その目的あるいは製品設計に応じて、ある色彩が別の色彩に変化するものであってもよいし、有色から無色への変化、あるいはその逆の変化を呈するものであってもよい。
【０００７】
ここで、熱変色特性については、温度上昇によって低温色彩状態から高温色彩状態への変化が開始する温度と、温度低下によって高温色彩状態から低温色彩状態への変化が開始する温度とは一致するものであってもよいし、また、両者の間に差があるようなものであってもよい。さらに、温度上昇によって低温色彩状態から高温色彩状態への変化が開始する温度をＴ３とし、またこれが終了する温度をＴ４とするとともに、温度低下によって高温色彩状態から低温色彩状態への変化が開始する温度をＴ２とし、またこれが終了する温度をＴ１とした場合、
Ｔ１＜Ｔ２＜Ｔ３＜Ｔ４
となるような熱変色特性（いわゆるヒステリシス特性）も、本発明でいう熱変色特性に含まれるものである。
【０００８】
いずれにせよ、本発明における熱変色特性においては、温度上昇によってある温度に達すると低温色彩状態から高温色彩状態へ変化するとともに、温度低下によってある温度に達すると高温色彩状態から低温色彩状態へ変化するような、可逆性を有している必要がある。
本発明における擦過体は、筆記具の一部に備えられるもので、その位置については特に限定がない。たとえば、軸筒の後端部や、筆記時には軸筒の後端部に装着されるキャップの先端に設けられるものとすることができる。また、その形状にも特に限定はなく、球状、柱状、カマボコ状等、様々なものが採用できる。さらに、その素材にも特に限定はなく、紙面との間で円滑な擦過が可能であれば、プラスチック、エラストマー、ゴム、あるいはこれらのコンパウンド等、様々なものが使用可能である。
【０００９】
また、本発明における擦過体は、筆記インクと同様に熱変色特性を備えている必要がある。たとえば、擦過体の素材に筆記インクと同様の熱変色特性を備えた、たとえば前記のマイクロカプセル顔料のような顔料を配合することとしてもよい。また、擦過体の表面を、このような顔料が配合された組成物でコーティングすることとしてもよい。どのような方法を採用する場合であっても、熱変色特性については、その目的あるいは製品設計に応じて、ある色彩が別の色彩に変化するものであってもよいし、有色から無色への変化、あるいはその逆の変化を呈するものであってもよい。さらに、この擦過体の熱変色特性に基づく色変化は、筆記インクの色変化と必ずしも同調する必要はないが、ほぼ同じような変化特性を呈することが望ましい。
【００１０】
（２）第２の発明
本発明のうち、第２の発明に係る筆記具においては、前記第１の発明の特徴に加え、前記擦過体における、低温色彩状態から高温色彩状態へ変色を開始する温度と、該高温色彩状態から前記低温色彩状態へ変色を開始する温度との差が３０℃以下であることが望ましい。ここで、温度差が３０℃以下であるということは、０℃、すなわち、擦過体が低温色彩状態から高温色彩状態へ変色を開始する温度と、該高温色彩状態から前記低温色彩状態へ変色を開始する温度とが同一であるような場合も含むものである。かかる温度差が３０℃以下であることによって、筆記インクによる描線の擦過による摩擦熱で自ら高温色彩状態に変色した擦過体が元の低温色彩状態に復帰するのが容易となる。
【００１１】
（３）第３の発明
本発明のうち、第３の発明に係る筆記具においては、前記第１又は第２の発明の特徴に加え、前記筆記インクが温度上昇によって低温色彩状態から高温色彩状態へ変色を開始する温度と、前記擦過体が温度上昇によって低温色彩状態から高温色彩状態へ変色を開始する温度との差が２０℃以下であることが望ましい。ここで、温度差が２０℃以下であるということは、０℃、すなわち、筆記インクが温度上昇によって低温色彩状態から高温色彩状態へ変色を開始する温度と、擦過体が温度上昇によって低温色彩状態から高温色彩状態へ変色を開始する温度とが同一であるような場合も含むものである。かかる温度差が２０℃以下であることによって、筆記インクによる描線の高温色彩状態への熱変色と擦過体の高温色彩状態への熱変色との開始温度に大きな差がなく、擦過体の熱変色に要する力が筆記インクによる描線の高温色彩状態への熱変色に十分な力であることの目安として機能し得ることになる。
【００１２】
（４）第４の発明
本発明のうち、第４の発明に係る筆記具においては、前記第１、第２又は第３の発明の特徴に加え、前記擦過体が温度上昇によって低温色彩状態から高温色彩状態へ変色を開始する温度が、前記筆記インクが温度上昇によって低温色彩状態から高温色彩状態へ変色を開始する温度よりも低いことが望ましい。すなわち、擦過体が筆記インクによる描線を擦過する際には、擦過体の方が早く高温色彩状態への熱変色が始まることとなる。これによって、擦過体が高温色彩状態へ熱変色することで筆記インクによる描線の高温色彩状態への熱変色の予告と成り得る点で、筆記インクによる描線の高温色彩状態への熱変色の目安として機能することになる。
【００１３】
（５）第５の発明
本発明のうち、第５の発明に係る筆記具においては、前記第１、第２又は第３の発明の特徴に加え、前記擦過体が温度低下により高温色彩状態から低温色彩状態へ変色を開始する温度が、前記筆記インクが温度低下により高温色彩状態から低温色彩状態へ変色を開始する温度より高いことが望ましい。すなわち、一旦温度上昇により高温色彩状態に熱変色した筆記インクによる描線が温度低下により元の低温色彩状態に戻るのが、擦過体が元の低温色彩状態に戻るのよりも遅い、ということになる。換言すると、この構成によって、筆記インクによる描線の高温色彩状態は、擦過体の高温色彩状態よりも持続しやすい、ということになる。
【００１４】
（６）第６の発明
本発明のうち、第６の発明に係る筆記具においては、前記第１、第２又は第３の発明の特徴に加え、前記筆記インク及び前記擦過体の熱変色特性は、該擦過体の擦過によって温度が高温側変色開始温度へ上昇して低温色彩状態から高温色彩状態へ変色を開始し、かつ、温度が前記高温側変色開始温度より低い低温側変色開始温度まで降下して該高温色彩状態から前記低温色彩状態へ変色するような可逆的なものであるとともに、
前記擦過体の高温側変色開始温度は前記筆記インクの高温側変色開始温度より低く、
前記擦過体の低温側変色開始温度は前記筆記インクの低温側変色開始温度より高いことが望ましい。
【００１５】
すなわち、本第６の発明に係る筆記具においては、筆記インク及び擦過体の両方が、前記第１の発明の項で言及した「ヒステリシス特性」を有することとなっている。
すなわち、摩擦による温度上昇により、高温側変色開始温度（Ｔ３）に達すると、低温色彩状態から高温色彩状態への変色が開始し、高温側変色終了温度（Ｔ４）にまでさらに上昇すると高温色彩状態への変色が完了する。一方、その状態から温度が低下して、上記高温側変色開始温度（Ｔ３）より低い低温側変色開始温度（Ｔ２）に達すると、高温色彩状態から低温色彩状態への変色が開始し、低温側変色終了温度（Ｔ１）にまでさらに下降すると低温側色彩状態への変色が完了する。ここで、本第６の発明においては、高温側変色開始温度（Ｔ３）と低温側変色開始温度（Ｔ２）との温度差が、筆記インクの方が擦過体よりも大きく、かつ、擦過体の変色域が、筆記インクの変色域に完全に包含されることとなっている。
【００１６】
この構成により、擦過体は、擦過による温度上昇の際、筆記インクの描線よりも低い温度で高温色彩状態への変色が開始する。換言すると、擦過体の方が筆記インクの描線よりも早く高温色彩状態への変色が開始及び完了することとなっている。
また、高温色彩状態から温度が低下していく際には、擦過体は、筆記インクの描線よりも高い温度で低温色彩状態への変色が開始する。換言すると、擦過体の方が筆記インクの描線よりも早く低温色彩状態への変色が開始及び完了することとなっている。
よって、温度上昇の際には、擦過体の変色が筆記インクの描線の変色に先駆けて起こるため、描線の変色の目安とすることができるとともに、温度上昇によって起こった変色が、擦過体が元に戻るよりも低い温度になるまで持続し得るので変色状態がより維持されやすいこととなる。
【００１７】
なお、本発明に係る筆記具は、上述のような熱変色特性を有する筆記インクを用いていれば、ボールペンであっても、サインペンであっても、またその他、インクを用いるタイプの筆記具ならいずれであってもよい。
【発明の効果】
【００１８】
本発明は上記のように構成されているので、熱変色性を有するインクの描線を擦過体による摩擦で熱変色させるような筆記具において、変色に必要な擦過動作の程度を視覚的に認識可能とすることが可能となっている。
【図面の簡単な説明】
【００１９】
【図１】本発明の第１の実施の形態に係る筆記具を側面図で示したものである。
【図２】本発明の第２の実施の形態に係る筆記具を側面図で示したものである。
【図３】筆記インク及び擦過体の熱変色特性の一例をグラフで示したものである。
【図４】筆記インク又は擦過体の熱変色特性の別の一例をグラフで示したものである。
【発明を実施するための形態】
【００２０】
以下、図面を参照しつつ本発明の実施の形態を説明する。
（１）第１の実施の形態
本発明の第１の実施の形態に係る筆記具10においては、図１に示すように、軸筒11の把持部分にグリップ12が設けられており、先端には筆記先端13としてのボールペンチップが設けられている。そして、軸筒11の先端に着脱自在に設けられるキャップ14（図では軸筒11の尾端部分に装着されている）の先端に擦過体20が設けられている。この擦過体20の素材には熱変色特性を備えた色材が練り込まれている。なお、軸筒11の内部には、図示しないインク収容管が内蔵され、その中には熱変色特性を備えた筆記インクが充填されている。その筆記インクは筆記先端13から紙面に吐出されることで描線として紙面に定着される。この描線を擦過体20で擦過して摩擦熱を加えることで、擦過体20自体の色彩が変色するとともに、描線の色彩が変色することとなっている。
【００２１】
（２）第２の実施の形態
本発明の第２の実施の形態に係る筆記具10においては、図２に示すように、軸筒11の把持部分にグリップ12が設けられている。軸筒の後端には尾栓15が装着され、その尾栓15の後端に擦過体20が設けられている。この擦過体20の素材には熱変色特性を備えた色材が練り込まれている。そして、軸筒11の先端には着脱自在なキャップ14が装着されている。軸筒11の先端には第１の実施の形態と同様に筆記先端13としてのボールペンチップが設けられているが図ではキャップ14に隠れており、このキャップ14を取り外して筆記が可能となっている。なお、軸筒11の内部には、図示しないインク収容管が内蔵され、その中には熱変色特性を備えた筆記インクが充填されている。その筆記インクは筆記先端13から紙面に吐出されることで描線として紙面に定着される。この描線を擦過体20で擦過して摩擦熱を加えることで、擦過体20自体の色彩が変色するとともに、描線の色彩が変色することとなっている。
【００２２】
（３）熱変色特性
上記各実施の形態における筆記インク及び擦過体20の熱変色特性の一例を図３のグラフに示す。
図中、実線は筆記インクの熱変色特性曲線であり、点線は擦過体の熱変色特性曲線である。なお、便宜上、筆記インク及び擦過体について、両者の低温色彩状態は横軸に平行な上段の線で、及び、両者の高温色彩状態は同じく下段の線でそれぞれ示しているが、それぞれの段における色彩又は濃度は同じものとは限らない。
同図から明らかなように、常温を含む温度領域では筆記インクによる描線及び擦過体はいずれも低温色彩状態を呈している。その状態から筆記インクによる描線を擦過体で擦過すると、摩擦熱により温度が上昇し、まず擦過体の高温側変色開始温度（Ｔ３’）に達すると擦過体の摩擦熱を受けた部分の変色が開始し、さらに温度が上昇して擦過体の高温側変色終了温度（Ｔ４’）に達したところで高温色彩状態への変色が完了する。この段階でもまだ筆記インクによる描線は低温色彩状態を維持している。そこからさらに擦過を続け筆記インクの高温側変色開始温度（Ｔ３）に達すると描線の変色が開始し、さらに温度が上昇して筆記インクの高温側変色終了温度（Ｔ４）に達したところで描線の高温色彩状態への変色が完了する。
【００２３】
一方、筆記インクによる描線及び擦過体がいずれも高温色彩状態を呈している状態から、擦過による摩擦を止めると温度が低下し、まず擦過体の低温側変色開始温度（Ｔ２’）に達し擦過体の変色が開始する。そしてさらに温度が低下して擦過体の低温側変色終了温度（Ｔ１’）に達したところで低温色彩状態への変色が完了する。この段階でもまだ筆記インクによる描線は高温色彩状態を維持している。そこからさらに温度が低下して筆記インクの低温側変色開始温度（Ｔ２）に達すると描線の変色が開始し、さらに温度が低下して筆記インクの低温側変色終了温度（Ｔ１）に達したところで描線の低温色彩状態への変色が完了する。
【００２４】
ここで、筆記インクの低温側変色開始温度（Ｔ２）がたとえば氷点下であるように設計した場合には、描線が一旦高温色彩状態に変化すると、常温においてはその高温色彩状態を保つこととなる。このような設計の筆記インクにおいて、たとえば、低温色彩状態が有色で、高温色彩状態が無色であるとすると、擦過により描線を消すことができるのと事実上同等の作用効果を奏することとなる。
なお、筆記インク及び擦過体のいずれか又は両方の熱変色特性が、図４に示すような、高温側変色開始温度（Ｔ３）と低温側変色開始温度（Ｔ２）とがほぼ同一であるようなものであってもよい。
【実施例】
【００２５】
（１）筆記インク
筆記インクは、下記表１に示す３通りの組成のものを準備した。なお、表中に示す数値はいずれも重量％である。
【００２６】
【表１】
2010247358.tif 000003
【００２７】
以上に示すとおり、インク１は低温色彩状態が青色で高温色彩状態が無色である。そして、低温側変色終了温度（Ｔ１）が−１５℃、低温側変色開始温度（Ｔ２）が−１０℃、高温側変色開始温度（Ｔ３）が５５℃、高温側変色終了温度（Ｔ４）が６０℃とヒステリシス特性を有するものであり、一旦高温色彩状態の無色に変化すると、常温では元の青色には戻らないものである。
また、インク２は低温色彩状態が黒色で高温色彩状態が無色である。そして、低温側変色終了温度（Ｔ１）が１５℃、低温側変色開始温度（Ｔ２）が２０℃、高温側変色開始温度（Ｔ３）が４０℃、高温側変色終了温度（Ｔ４）が４５℃とヒステリシス特性を有するものである。しかし、インク１に比べて低温側変色開始温度（Ｔ２）が高いため、高温色彩状態の無色に変化しても、常温で元の黒色に戻りやすくなっている。
【００２８】
さらに、インク３は低温色彩状態が赤色で高温色彩状態が無色であるが、ヒステリシス特性は有さず、低温色彩状態から高温色彩状態への変色もその逆も、同一の変色温度（Ｔ３＝Ｔ２）である４８℃で生ずることとなっている。
なお、以上の表１に示すマイクロカプセル顔料は、たとえば松井色素化学工業所製のもののような市販品として入手可能である。
（２）擦過体
擦過体は、下記表２に示す４通りのものを準備した。なお、表中に示す数値はいずれも重量％である。
【００２９】
【表２】
2010247358.tif 000004
【００３０】
以上に示すとおり、擦過体１は低温色彩状態が青色で高温色彩状態が無色であるが、上記インク３と同様ヒステリシス特性は有さず、変色温度（Ｔ３’＝Ｔ２’）は４８℃である。
また、擦過体２は低温色彩状態が黒色で高温色彩状態が無色であるが、上記擦過体１と同様ヒステリシス特性は有さず、変色温度（Ｔ３’＝Ｔ２’）は４８℃である。
さらに、擦過体３は低温色彩状態が青色で高温色彩状態が無色である。そして、低温側変色終了温度（Ｔ１’）が１５℃、低温側変色開始温度（Ｔ２’）が２０℃、高温側変色開始温度（Ｔ３’）が４０℃、高温側変色終了温度（Ｔ４’）が４５℃とヒステリシス特性を有するものである。しかし、インク１に比べて低温側変色開始温度（Ｔ２’）が高いため、高温色彩状態の無色に変化しても、常温で元の青色に戻りやすくなっている。
【００３１】
そして、擦過体４は低温色彩状態が赤色で高温色彩状態が無色であるが、上記擦過体１と同様ヒステリシス特性は有さず、変色温度（Ｔ３’＝Ｔ２’）は４８℃である。
なお、以上の表２に示すマイクロカプセル顔料は、たとえば松井色素化学工業所製のもののような市販品として入手可能である。
（３）実施例１
実施例１として、前記第１の実施の形態に係る筆記具において、筆記インクとしてインク収容管に前記表１のインク１を充填するとともに、擦過体としてキャップの先端に前記表２の擦過体１を装着した。この筆記具の描線の低温色彩状態は青色で、高温色彩状態は無色である。また擦過体の低温色彩状態は青色で、高温色彩状態は無色である。この筆記具の描線の熱変色は以下の通りに起こることとなる。
【００３２】
まず、常温（２５℃）の状態から描線を擦過体で擦過すると、摩擦熱により筆記面の温度が上昇し、擦過体の変色温度（Ｔ３’＝Ｔ２’）の４８℃に達したところで擦過体が青色から無色に変色する。そして、筆記インクの高温側変色開始温度（Ｔ３）の５５℃に達したところで描線が青色から無色に変色し始め、そしてさらに高温側変色終了温度（Ｔ４）の６０℃に達すると完全に無色になる。
ここで擦過を停止すると筆記面の温度が低下し始め、擦過体の変色温度（Ｔ２’＝Ｔ３’）まで低下したところで擦過体は無色から青色に戻る。そして常温に戻っても筆記インクの低温側変色開始温度（Ｔ２）の−１０℃までは低下しないので、描線は無色のままである。なお、ここから強制的な手段を用いて冷却すると筆記インクの低温側変色開始温度（Ｔ２）の−１０℃に達したところで無色から青色に変色し始め、そしてさらに低温側変色終了温度（Ｔ１）の−１５℃に達すると完全に元の青色に戻ることとなる。
【００３３】
以上、実施例１に係る筆記具においては、描線が高温色彩状態に変化するのに先立って擦過体が高温色彩状態に変化することとなるので、擦過体が無色になったら間もなく描線も無色になるということを使用者に知らしめることが可能となっている。
（４）実施例２
実施例２として、前記第１の実施の形態に係る筆記具において、筆記インクとしてインク収容管に前記表１のインク２を充填するとともに、擦過体としてキャップの先端に前記表２の擦過体２を装着した。この筆記具の描線の低温色彩状態は黒色で、高温色彩状態は無色である。また擦過体の低温色彩状態は黒色で、高温色彩状態は無色である。この筆記具の描線の熱変色は以下の通りに起こることとなる。
【００３４】
まず、常温（２５℃）の状態から描線を擦過体で擦過すると、摩擦熱により筆記面の温度が上昇し、筆記インクの高温側変色開始温度（Ｔ３）の４０℃に達したところで描線が黒色から無色に変色し始め、さらに温度が上昇して筆記インクの高温側変色終了温度（Ｔ４）の４５℃に達すると完全に無色になる。そしてさらに擦過体の変色温度（Ｔ３’＝Ｔ２’）の４８℃より高くなったところで擦過体が黒色から無色に変色する。
ここで擦過を停止すると筆記面の温度が低下し始め、擦過体の変色温度（Ｔ２’＝Ｔ３’）の４８℃より低下したところで擦過体は無色から黒色に戻る。そして常温よりやや低い筆記インクの低温側変色開始温度（Ｔ２）の２０℃に達したところで無色から黒色に変色し始め、そしてさらに低温側変色終了温度（Ｔ１）の１５℃に達すると完全に元の黒色に戻ることとなる。
【００３５】
以上、実施例２に係る筆記具においては、描線が完全に高温色彩状態に変化したのちに擦過体が高温色彩状態に変化することとなるので、擦過体が無色になったらもう描線の変色も完了しているのでそれ以上の擦過は不要であるということを使用者に知らしめることが可能となっている。
（５）実施例３
実施例３として、前記第１の実施の形態に係る筆記具において、筆記インクとしてインク収容管に前記表１のインク１を充填するとともに、擦過体としてキャップの先端に前記表２の擦過体３を装着した。この筆記具の描線の低温色彩状態は青色で、高温色彩状態は無色である。また擦過体の低温色彩状態は青色で、高温色彩状態は無色である。この筆記具の描線の熱変色は以下の通りに起こることとなる。
【００３６】
まず、常温（２５℃）の状態から描線を擦過体で擦過すると、摩擦熱により筆記面の温度が上昇し、擦過体の高温側変色開始温度（Ｔ３’）の４０℃に達したところで擦過体が青色から無色に変色し始め、高温側変色終了温度（Ｔ４’）の４５℃に達したところで完全に無色になる。そして、筆記インクの高温側変色開始温度（Ｔ３）の５５℃に達したところで描線が青色から無色に変色し始め、そしてさらに高温側変色終了温度（Ｔ４）の６０℃に達すると完全に無色になる。
ここで擦過を停止すると筆記面の温度が低下し始め、常温よりやや低い擦過体の低温側変色開始温度（Ｔ２’）である２０℃まで低下したところで擦過体は無色から青色に戻り始め、さらに低温側変色終了温度の１５℃まで低下すると完全に青色に戻る。ここで強制的な手段を用いてさらに冷却すると筆記インクの低温側変色開始温度（Ｔ２）の−１０℃に達したところで無色から青色に変色し始め、そしてさらに低温側変色終了温度（Ｔ１）の−１５℃に達すると完全に元の青色に戻ることとなる。
【００３７】
以上、実施例３に係る筆記具においては、擦過体の変色温度域は筆記インクの変色温度域に完全に包含されており、描線が高温色彩状態に変化するのに先立って擦過体が高温色彩状態に変化することとなるので、擦過体が無色になったら間もなく描線も無色になるということを使用者に知らしめることが可能となっている。
（６）実施例４
実施例４として、前記第１の実施の形態に係る筆記具において、筆記インクとしてインク収容管に前記表１のインク３を充填するとともに、擦過体としてキャップの先端に前記表２の擦過体４を装着した。この筆記具の描線の低温色彩状態は赤色で、高温色彩状態は無色である。また擦過体の低温色彩状態は赤色で、高温色彩状態は無色である。この筆記具の描線の熱変色は以下の通りに起こることとなる。
【００３８】
まず、常温（２５℃）の状態から描線を擦過体で擦過すると、摩擦熱により筆記面の温度が上昇し、擦過体の変色温度（Ｔ３’＝Ｔ２’）の４８℃を超えたところで擦過体が赤色から無色に変色するのと同時に、筆記インクも同じく変色温度（Ｔ３＝Ｔ２）の４８℃を超えて描線は赤色から無色に変色する。
ここで擦過を停止すると筆記面の温度が低下し始め、擦過体の変色温度（Ｔ２’＝Ｔ３’）の４８℃より低下したところで擦過体は無色から赤色に戻り、同時に筆記インクも同じく変色温度（Ｔ２＝Ｔ３）の４８℃より低下して描線も無色から赤色に戻る。
以上、実施例４に係る筆記具においては、描線が高温色彩状態に変化するのと同時に擦過体が高温色彩状態に変化することとなるので、擦過体が無色になったら同時に描線も無色になるということを使用者に知らしめることが可能となっている。
【符号の説明】
【００３９】
10  筆記具                11  軸筒                  12  グリップ
13  筆記先端              14  キャップ              15  尾栓
20  擦過体
【図１】
2010247358.tif 000005
【図２】
2010247358.tif 000006
【図３】
2010247358.tif 000007
【図４】
2010247358.tif 000008